(57)【要約】【課題】集合住宅において住宅施設に設けられた呼出装置と共用施設に設置されたドアベルとの間の円滑な呼出制御が可能な集合住宅コミュニケーションシステムを提供する。【解決手段】集合住宅２の住宅施設３（各住居および集合玄関）の少なくとも一方に関連付けられた呼出装置（居室親機１０，集合玄関機２０，携帯情報端末６０）と、集合住宅２の共用施設４に関連付けられたドアベル３０（３０Ａ〜３０Ｄ）と、居室親機１０，集合玄関機２０，携帯情報端末６０、およびドアベル３０（３０Ａ〜３０Ｄ）と通信可能に構成されたサーバ４０と、を備えた集合住宅コミュニケーションシステム１であって、ドアベル３０（３０Ａ〜３０Ｄ）は、無線ネットワーク通信手段により、サーバ４０と通信可能に構成されている。【選択図】図１
2019146027.tif 000002
【特許請求の範囲】
【請求項１】
集合住宅の各住居および集合玄関の少なくとも一方に関連付けられた呼出装置と、
前記集合住宅の共用施設に関連付けられたドアベルと、
前記呼出装置および前記ドアベルと通信可能に構成された制御部と、
を備えた集合住宅コミュニケーションシステムであって、
前記ドアベルは、無線ネットワーク通信手段により、前記制御部と通信可能に構成されている、集合住宅コミュニケーションシステム。
【請求項２】
前記共用施設は、前記集合住宅内に設置された管理室およびセキュリティポールの少なくとも一方を含む、請求項１に記載の集合住宅コミュニケーションシステム。
【請求項３】
前記呼出装置は、前記各住居の居住者に関連付けられた携帯情報端末を含む、請求項１または２に記載の集合住宅コミュニケーションシステム。
【請求項４】
前記集合住宅から遠隔に配置されて前記制御部と無線ネットワーク通信手段により通信可能に構成された遠隔制御装置をさらに備えている、請求項１から３のいずれか一項に記載の集合住宅コミュニケーションシステム。
【発明の詳細な説明】
【技術分野】
【０００１】
本発明は、集合住宅コミュニケーションシステムに関する。
【背景技術】
【０００２】
従来、複数の住居棟で構成される集合住宅向けのインターホンシステムがある（特許文献１参照）。このインターホンシステムの構成では、各住居棟は、インターホン回線（インターホン専用線）を介して制御機と接続されている。
また、スピーカと、マイクと、カメラと、呼出ボタンを備え、遠隔配置されるコンピューティング・デバイスと無線通信可能なＷＩＦＩドアベルが知られている（特許文献２参照）。
【先行技術文献】
【特許文献】
【０００３】
【特許文献１】特開２００４−２６０６７９号公報
【特許文献２】米国特許第９０９４５８４号明細書
【特許文献３】米国特許第８８７２９１５号明細書
【特許文献４】米国特許第９２３７３１８号明細書
【特許文献５】米国特許第８１４４１８３号明細書
【特許文献６】米国特許第９４３２６３８号明細書
【特許文献７】米国特許第９４８５４７８号明細書
【特許文献８】米国特許第９５１６２８４号明細書
【発明の概要】
【発明が解決しようとする課題】
【０００４】
ところで、各集合住宅には、住居や管理室だけではなく、駐車場やスポーツジムなどの共用施設が設けられている場合がある。このような集合住宅において、各住居や管理室の呼出制御に加えて、共用施設に設置されて無線通信可能なドアベルからの呼出制御を一括して行うシステムが求められている。
【０００５】
そこで、本発明は、集合住宅において住宅施設に設けられた呼出装置と共用施設に設置されたドアベルとの間の円滑な呼出制御が可能な集合住宅コミュニケーションシステムを提供することを目的とする。
【課題を解決するための手段】
【０００６】
上記目的を達成するために、本発明の集合住宅コミュニケーションシステムは、
集合住宅の各住居および集合玄関の少なくとも一方に関連付けられた呼出装置と、
前記集合住宅の共用施設に関連付けられたドアベルと、
前記呼出装置および前記ドアベルと通信可能に構成された制御部と、
を備えた集合住宅コミュニケーションシステムであって、
前記ドアベルは、無線ネットワーク通信手段により、前記制御部と通信可能に構成されている。
【０００７】
上記構成によれば、集合住宅において住宅施設に設けられた呼出装置と共用施設に設置されたドアベルとの間の円滑な呼出制御が可能な集合住宅コミュニケーションシステムを提供することができる。また、ドアベルは無線ネットワーク手段により通信可能であるため、ドアベルの後付けも容易に行うことができる。
【０００８】
また、上記集合住宅コミュニケーションシステムにおいて、
前記共用施設は、前記集合住宅内に設置された管理室およびセキュリティポールの少なくとも一方を含んでもよい。
【０００９】
この構成によれば、管理室に設置されたドアベルから呼出装置を呼び出したり、セキュリティポールに設置されたドアベルから管理室のドアベルを呼び出したりすることができる。
【００１０】
また、上記集合住宅コミュニケーションシステムにおいて、
前記呼出装置は、前記各住居の居住者に関連付けられた携帯情報端末を含んでもよい。
【００１１】
上記構成によれば、居住者が携帯するスマートフォンなどの情報端末とドアベルとの間で呼び出しを行うことができる。
【００１２】
また、上記集合住宅コミュニケーションシステムは、
前記集合住宅から遠隔に配置されて前記制御部と無線通信ネットワーク手段により通信可能に構成された遠隔制御装置をさらに備えてもよい。
【００１３】
この構成によれば、マンション管理会社やセキュリティ会社などの制御室において、呼出装置やドアベルからの呼出に対応することができる。
【発明の効果】
【００１４】
本発明によれば、集合住宅において住宅施設に設けられた呼出装置と共用施設に設置されたドアベルとの間の円滑な呼出制御が可能な集合住宅コミュニケーションシステムを提供することができる。
【図面の簡単な説明】
【００１５】
【図１】本発明の実施形態に係る集合住宅コミュニケーションシステムの構成を示す図である。
【図２】集合住宅コミュニケーションシステムが備えるドアベルの機能ブロック図である。
【図３】集合住宅コミュニケーションシステムが備えるサーバの機能ブロック図である。
【図４】集合住宅コミュニケーションシステムの動作を説明するフローチャートである。
【発明を実施するための形態】
【００１６】
以下、本実施形態の一例に係る集合住宅コミュニケーションシステムについて、図面を参照して説明する。
図１は、本実施形態に係る集合住宅コミュニケーションシステムの構成を示す図である。集合住宅コミュニケーションシステム１は、住居者が居住する住宅施設３や、複数の人が共同で利用できる共用施設４などで構成される例えばマンション等の集合住宅２に用いられるシステムである。
【００１７】
図１に示すように、集合住宅コミュニケーションシステム１は、住宅施設３に、居室親機１０（呼出装置の一例）と、居室玄関子機１５と、集合玄関機２０（呼出装置の一例）とを備え、共用施設４に、ドアベル３０（３０Ａ〜３０Ｄ）を備えている。また、集合住宅コミュニケーションシステム１は、これらの機器間の呼出制御を行うサーバ４０（制御部の一例）を備えている。
【００１８】
居室親機１０は、インターホン回線（インターホン専用線）Ｌ１を介してサーバ４０と通信可能に接続されている。また、集合玄関機２０は、インターホン回線Ｌ２を介してサーバ４０と通信可能に接続されている。また、居室玄関子機１５がインターホン回線Ｌ３を介して居室親機１０と通信可能に接続されている。
【００１９】
ドアベル３０（３０Ａ〜３０Ｄ）は、ネットワークＮを介してサーバ４０と通信可能に接続されている。ネットワークＮとしては、例えば、インターネット、無線ローカルエリアネットワーク（ＬＡＮ）、ラジオ、セルラー、Ｂｌｕｅｔｏｏｔｈ（登録商標）、電磁波、赤外線光、音波、およびマイクロ波等の無線ネットワーク通信手段を用いることが可能である。なお、ドアベル３０（３０Ａ〜３０Ｄ）とネットワークＮを中継する通信機器としては、例えば、Ｗｉ−Ｆｉルータが用いられ得る。
【００２０】
ドアベル３０（３０Ａ〜３０Ｄ）は、例えば、スポーツジム４Ａ、駐車場４Ｂ、あるいは集合住宅内の歩道などに建てられたセキュリティポール４Ｃ、あるいはコンシェルジュがいる管理室４Ｄ（管理室内やカウンタなど）等に設置されている。ドアベル３０（３０Ａ〜３０Ｄ）は、共用施設４に居るユーザ（例えば、来訪者，居住者，コンシェルジュ等）が住宅施設３に居るユーザ（例えば、居住者等）と通話するため、あるいは共用施設４に居るユーザ同士で通話するためなどに用いられるものである。管理室４Ｄには、集合住宅２に関する住宅情報が保存される管理室親機５０として、例えば、ＰＣ（Ｐｅｒｓｏｎａｌ  Ｃｏｍｐｕｔｅｒ）が設置されている。
【００２１】
また、サーバ４０には、ネットワークＮを介して携帯情報端末６０が通信可能に接続されうる。携帯情報端末６０は、例えば、各住居に関連付けられたユーザ（例えば、居住者）が所有するスマートフォン、タブレットコンピュータ、およびその他の情報端末である。
【００２２】
また、集合住宅コミュニケーションシステム１には、集合住宅２から離れた場所に遠隔コントロールセンタ５が設けられており、その遠隔コントロールセンタ５には集合住宅の情報を管理する遠隔制御装置７０が設置されている。遠隔制御装置７０は、例えば、ＰＣからなり、集合住宅のマスターデータが記憶されている。遠隔制御装置７０は、ネットワークＮを介してサーバ４０と通信可能に接続されている。遠隔コントロールセンタ５は、例えば、マンション管理会社、セキュリティ会社などである。
【００２３】
居室親機１０は、集合住宅の各住居内に設置されている。居室親機１０は、表示部１１、操作部１２、通話部１３等を備えている。居室親機１０は、通話部１３を介して、例えば、集合玄関機２０やドアベル３０（３０Ａ〜３０Ｄ）や携帯情報端末６０や遠隔制御装置７０からの呼び出しに対して応答できるように構成されている。また、居室親機１０は、操作部１２を操作することで、例えば、スポーツジム４Ａのドアベル３０Ａ、駐車場４Ｂのドアベル３０Ｂ、管理室４Ｄのドアベル３０Ｄ、携帯情報端末６０、および遠隔制御装置７０を呼び出すことができるように構成されている。各居室親機１０には、その居室機を特定する居室親機ＩＤが記憶されている。
【００２４】
居室玄関子機１５は、住居の玄関に設置されている。居室玄関子機１５は、カメラ１６、操作部１７、通話部１８等を備えている。居室玄関子機１５は、操作部１８を操作することで、その居室玄関子機１５が接続されている居室親機１０を呼び出すことができるように構成されている。
【００２５】
集合玄関機２０は、集合住宅の集合玄関や共用スペース等に設置されている。集合玄関機２０は、呼出部２１、通話部２２、カメラ２３、表示部２４等を備えている。集合玄関機２０は、呼出部２１を操作することで、例えば、居室親機１０、スポーツジム４Ａのドアベル３０Ａ、駐車場４Ｂのドアベル３０Ｂ、管理室４Ｄのドアベル３０Ｄ、携帯情報端末６０、および遠隔制御装置７０を呼び出すことができるように構成されている。また、集合玄関機２０は、通話部２２を介して、例えば、居室親機１０に居る居住者や、ドアベル３０Ａ、ドアベル３０Ｂ、あるいはドアベル３０Ｄに居るユーザ（例えば、来訪者、居住者、コンシェルジュ等）や、携帯情報端末６０を携帯する居住者や、遠隔コントロールセンタ５に居る担当者と通話可能に構成されている。また、集合玄関機２０は、カメラ２３により、ユーザ（例えば、来訪者等）を撮像することができるように構成されている。集合玄関機２０には、その玄関機を特定する集合玄関機ＩＤが記憶されている。
【００２６】
携帯情報端末６０は、サーバ４０を経由して、例えば、ドアベル３０（３０Ａ〜３０Ｄ）、集合玄関機２０、居室玄関子機１５、遠隔制御装置７０等からの呼び出しに応答することができるように構成されている。携帯情報端末６０は、所定のユーザ・インターフェースを表示可能なタッチスクリーン型の表示部６１を有する。携帯情報端末６０は、ドアベル３０（３０Ａ〜３０Ｄ）等から送信されてくる信号に基づいて、所定のコンピュータソフトウェア（例えば、音声通話および画像表示用のアプリケーションソフトウェア）を実行する。例えば、携帯情報端末６０は、表示部６１上に表示されるユーザ・インターフェースをタッチすることでドアベル３０（３０Ａ〜３０Ｄ）等からの呼び出しに応答することを許可させ来訪者との間で双方向通信を開始させるアプリケーションソフトウェアを実行することができる。また、携帯情報端末６０は、表示部６１上に表示されるユーザ・インターフェースをタッチ操作することで、例えば、集合玄関機２０、スポーツジム４Ａのドアベル３０Ａ、駐車場４Ｂのドアベル３０Ｂ、管理室４Ｄのドアベル３０Ｄ、および遠隔制御装置７０を呼び出すことができるように構成されている。携帯情報端末６０には、その情報端末を特定する携帯情報端末ＩＤが記憶されている。
【００２７】
ドアベル３０（３０Ａ〜３０Ｄ）は、図２に示すように、制御部３１と、操作部３２と、マイク３３と、スピーカ３４と、人感センサ３５と、カメラ３６と、画像処理部３７と、位置情報取得部３８と、通信インタフェース（以下、通信Ｉ／Ｆと称する）３９と、を備えている。
【００２８】
制御部３１は、ドアベル３０の各部の動作を制御する。制御部３１は、１以上のプロセッサと１以上のメモリを含む少なくとも一つのマイクロコントローラと、トランジスタ等のアクティブ素子およびパッシブ素子を含むその他電子回路を含んでもよい。プロセッサは、メモリに記憶されたドアベル制御プログラムから指定されるプログラムを読出し、メモリとの協働で各種処理を実行するように構成されてもよい。
【００２９】
操作部３２は、ユーザ（例えば、来訪者，居住者，コンシェルジュ等）の各種入力操作を受け付ける。各種入力操作には、例えば、住宅施設３に居るユーザ（例えば、居住者等）を呼び出すための入力操作、共用施設４に居る他のユーザを呼び出すための入力操作等が含まれる。マイク３３およびスピーカ３４は、通話先のユーザに向けてドアベル側ユーザの音声データを送出したり、ドアベル側のユーザに向けて通話先ユーザからの音声データを出力するための通話部を構成する。
【００３０】
人感センサ３５は、ドアベル３０の前方にいる人物（ユーザ）を検知するためのセンサであり、例えば、赤外線センサで構成されている。人感センサ３５は、制御部３１を介して、カメラ３６に接続されている。人感センサ３５は、人物を検知したことを知らせる検出信号をカメラ３６へ出力する。カメラ３６は、ユーザを撮像するための撮像機器である。カメラ３６は、例えば、ウェブカメラであるビデオカメラとして構成しても良い。カメラ３６は、人感センサ３５から出力される検出信号に基づいて起動する。カメラ３６が撮像した画像は、画像処理部３７へ出力される。画像処理部３７は、制御部３１の制御信号に基づいて、カメラ３６から取得した画像データを、通信Ｉ／Ｆ３９を介してサーバ４０へ送信する。
【００３１】
位置情報取得部３８は、所定のドアベル３０（３０Ａ〜３０Ｄ）を特定するためドアベルの位置情報を取得するように構成されている。位置情報は、例えば、ＧＰＳ（Ｇｌｏｂａｌ  Ｐｏｓｉｔｉｏｎｉｎｇ  Ｓｙｓｔｅｍ）を用いて取得される。なお、ドアベル３０（３０Ａ〜３０Ｄ）を設置する際にそのドアベルの位置情報を位置情報取得部３８に予め登録しておいてもよい。なお、所定のドアベル３０（３０Ａ〜３０Ｄ）を特定するために用いられる情報としては、各ドアベル３０Ａ〜３０Ｄを特定可能なドアベルＩＤを用いてもよい。ドアベルＩＤは、各ドアベル３０Ａ〜３０Ｄにそれぞれ記憶しておく。
【００３２】
通信Ｉ／Ｆ３９は、ドアベル３０とサーバ４０との間におけるインターネットＮを介した信号伝送路を形成する。
【００３３】
サーバ４０は、図３に示すように、記憶部４１と、信号変換部４２と、映像制御機４３と、オーディオ制御機４４と、制御部４５と、通信Ｉ／Ｆ４６と、を備えている。サーバ４０は、例えば、集合住宅の住宅施設３内に設置されている。
【００３４】
記憶部４１には、住宅施設３の居室親機１０、居室玄関子機１５、集合玄関機２０、および携帯情報端末６０等に関する情報や、共用施設４のドアベル３０Ａ〜３０Ｄ等に関する情報が、例えば、呼出制御用の呼出テーブルに対応付けられて記憶されている。また、記憶部４１には、サーバ４０を特定するサーバＩＤが記憶されている。
【００３５】
また、記憶部４１には、居室親機１０、居室玄関子機１５、集合玄関機２０、ドアベル３０（３０Ａ〜３０Ｄ）、および携帯情報端末６０から送信されてきた呼出信号やデータ（例えば、画像データ、音声データ等）を記憶部４１に格納するとともに、当該呼出信号やデータを呼出対象機器へ送信することが可能なアプリケーションがインストールされている。このアプリケーションは、居室親機１０、携帯情報端末６０、およびドアベル３０Ｄと、遠隔制御装置７０との間においても、同様に呼出信号やデータを格納および送信することが可能である。
【００３６】
信号変換部４２は、インターホン回線Ｌ１，Ｌ２で通信可能なアナログ信号を、ネットワークＮで通信可能なデジタル信号に変換するアナログデジタル変換部と、その反対にデジタル信号をアナログ信号に変換するデジタルアナログ変換部とを有する。
【００３７】
映像制御機４３は、集合玄関機２０で撮像された映像信号を信号処理するとともに、処理した映像信号を居室親機１０、ドアベル３０（３０Ａ〜３０Ｄ）、あるいは携帯情報端末６０に向けて送信する。また、映像制御機４３は、ドアベル３０（３０Ａ〜３０Ｄ）で撮像された映像信号を信号処理するとともに、処理した映像信号を居室親機１０、集合玄関機２０、携帯情報端末６０、あるいは他のドアベル３０（３０Ａ〜３０Ｄ）に向けて送信する。オーディオ制御機４４は、居室親機１０、集合玄関機２０、ドアベル３０（３０Ａ〜３０Ｄ）、あるいは携帯情報端末６０から送信されてきた音声信号を信号処理するとともに、処理した音声信号を通話対象機器に向けて送信する。
【００３８】
制御部４５は、サーバ４０の各部の動作を制御する。制御部４５は、１以上のプロセッサと１以上のメモリを含む少なくとも一つのマイクロコントローラと、トランジスタ等のアクティブ素子およびパッシブ素子を含むその他電子回路を含んでもよい。プロセッサは、メモリに記憶された制御プログラムから指定されるプログラムを読出し、メモリとの協働で各種処理を実行するように構成されてもよい。
【００３９】
制御部４５は、インターホン回線Ｌ１で接続されている居室親機１０と、インターホン回線Ｌ２で接続されている集合玄関機２０との間の通信処理等の制御を呼出テーブルに基づいて行う。また、制御部４５は、インターホン回線Ｌで接続されている居室親機１０および集合玄関機２０と、ネットワークＮで接続されているドアベル３０（３０Ａ〜３０Ｄ）、携帯情報端末６０、および遠隔制御装置７０との間の各通信処理等の制御を呼出テーブルに基づいて行う。また、制御部４５は、ネットワークＮで接続されているドアベル３０（３０Ａ〜３０Ｄ）、携帯情報端末６０、および遠隔制御装置７０相互間の通信処理等の制御を呼出テーブルに基づいて行う。
【００４０】
制御部４５は、居室親機１０、集合玄関機２０、ドアベル３０（３０Ａ〜３０Ｄ）、携帯情報端末６０、および遠隔制御装置７０から、例えば、所定の対象機器を呼び出す呼出信号が送信されてくると、記憶部４１にインストールされている上記アプリケーションを実行し、所定の相互間における通信処理を開始する。
【００４１】
通信Ｉ／Ｆ４６は、サーバ４０と、ドアベル３０（３０Ａ〜３０Ｄ）、携帯情報端末６０、および遠隔制御装置７０との間におけるインターネットＮを介した信号伝送路を形成する。また、通信Ｉ／Ｆ４６は、サーバ４０と、居室親機１０および集合玄関機２０との間におけるインターホン回線Ｌ（Ｌ１，Ｌ２）を介した信号伝送路を形成する。
【００４２】
次に、図４を参照して、集合住宅コミュニケーションシステム１の動作について説明する。
例えば、共用施設４のドアベル３０から住宅施設３の居室親機１０が呼び出される場合、集合住宅コミュニケーションシステム１は以下のように動作する。
【００４３】
来訪者により、例えば、駐車場４Ｂに設置されているドアベル３０Ｂの操作部３２を介して、訪問先である部屋番号「３０１」が入力された後に呼出ボタンが押下される（ステップＳ１）。
入力された「３０１」は、ネットワークＮを介してサーバ４０へ呼出信号「３０１」として送信される（ステップＳ２）。なお、送信される呼出信号「３０１」には、送信元であるドアベル３０Ｂを特定する位置情報あるいはドアベルＩＤ（本例では、ドアベルＩＤを用いる）が付加される。また、上記呼出ボタンが押下されると、ドアベル３０Ｂのカメラ３６で撮影された画像データと、マイク３３で取得された音声データとがネットワークＮを介してサーバ４０へ送信される。
【００４４】
ドアベルＩＤが付加された呼出信号「３０１」を受信したサーバ４０の制御部４５は、記憶部４１にインストールされているアプリケーションを実行する（ステップＳ３）。制御部４５は、アプリケーションの命令に応じて、ネットワークＮを介しドアベル３０Ｂとサーバ４０との間の通信を確立する（ステップＳ４）。制御部４５は、呼出テーブルを参照して、送信元が駐車場４Ｂのドアベル３０Ｂであること、および呼出先が住宅施設３の３０１号室（居室親機１０）であることを認識する（ステップＳ５）。そして、制御部４５は、受信した呼出信号「３０１」、ドアベルＩＤ、画像データ、および音声データを記憶部４１に格納するとともに、当該呼出信号「３０１」、ドアベルＩＤ、画像データ、および音声データを記憶部４１に格納する。制御部４５は、受信した上記呼出信号「３０１」等のデジタル信号を、信号変換部４２により、インターホン回線Ｌで通信可能なアナログ信号に変換する（ステップＳ６）。制御部４５は、変換された呼出信号「３０１」をインターホン回線Ｌ１を介して全ての居室親機１０に向けて送信する（ステップＳ７）。なお、この場合、画像データ（来訪者の映像）も呼出信号「３０１」に添付される。
【００４５】
呼出信号「３０１」を受信した各居室親機１０は、呼出信号「３０１」が自機に対する呼出信号であるか否か判別する。この場合、３０１号室の居室親機１０が自機に対する呼出信号であると判別する。これにより、３０１号室の居室親機１０では、通話部１３のスピーカから呼出音が出力されるとともに、所定の呼出ランプが点灯されてドアベル３０Ｂからの呼び出しであることを報知する（ステップＳ８）。また、表示部１１には訪問者の映像が表示される。３０１号室の居住者によって居室親機１０の通話ボタンが押下されると、居室親機１０とドアベル３０Ｂとの間の信号通信が許可されて、例えば通話可能となる（ステップＳ９）。
【００４６】
なお、上記のステップＳ７では、呼出信号「３０１」をインターホン回線Ｌ１を介して全ての居室親機１０に向けて送信する方法を採用しているが、制御部４５は、呼出信号「３０１」に基づいて、呼出先を判別し、当該呼出信号「３０１」に関連付けられた３０１号室の居室親機１０のみに呼出信号「３０１」を送信してもよい。
【００４７】
例えば、ドアベル３０（３０Ａ〜３０Ｄ）から各住居に関連付けられた居住者が所有する携帯情報端末６０を呼び出す場合、およびドアベル３０（３０Ａ〜３０Ｄ）から遠隔コントロールセンタ５の遠隔制御装置７０を呼び出す場合も、上記と同様のステップで各処理が実行される。ただし、この場合、サーバ４０と携帯情報端末６０との間、およびサーバ４０と遠隔制御装置７０との間はネットワークＮを介した通信になる。また、携帯情報端末６０を呼び出す場合、先ずドアベル３０（３０Ａ〜３０Ｄ）から居室親機１０への呼び出しが行われて居室親機１０で応答がなかったときに、各住居に関連付けられた居住者が所有する携帯情報端末６０へその呼び出しが自動的に転送されるようにしてもよい。
また、例えば、居室親機１０および携帯情報端末６０からドアベル３０（３０Ａ〜３０Ｄ）を呼び出すことも可能であり、その場合には、上記と逆のステップで同様の処理が行なわれて、各呼び出し動作が実行される。
【００４８】
以上説明したように、本実施形態に係る集合住宅コミュニケーションシステム１によれば、集合住宅２において住宅施設３に設けられた呼出装置と共用施設４に設置されたドアベル３０との間の円滑な呼出制御を単一のサーバ４０を介して行うことができる。
【００４９】
例えば、共用施設４に設置されているドアベル３０（３０Ａ〜３０Ｄ）から住宅施設３に設置されている居室親機１０や集合玄関機２０を呼び出したり、あるいは各住居の居住者に関連付けられた携帯情報端末６０を呼び出したりすることができる。また、居室親機１０、集合玄関機２０、および携帯情報端末６０からドアベル３０（３０Ａ〜３０Ｄ）を呼び出すこともできる。
また、例えば、スポーツジム４Ａのドアベル３０Ａや駐車場４Ｂのドアベル３０Ｂやセキュリティポール４Ｃのドアベル３０Ｃから管理室４Ｄのドアベル３０Ｄを呼び出すことができる。
また、例えば、居室親機１０、集合玄関機２０、および携帯情報端末６０の相互間で呼び出しを行うことができる。
また、例えば、居室親機１０、集合玄関機２０、ドアベル３０（３０Ａ〜３０Ｄ）、および携帯情報端末６０から遠隔コントロールセンタ５（マンション管理会社やセキュリティ会社）の遠隔制御装置７０を呼び出すことができる。このため、遠隔コントロールセンタ５の制御室において、その呼び出しに対応することができる。また、遠隔制御装置７０から居室親機１０、集合玄関機２０、ドアベル３０（３０Ａ〜３０Ｄ）、および携帯情報端末６０を呼び出すこともできる。
【００５０】
また、ドアベル３０は無線ネットワーク通信手段により通信可能であるため、ドアベル３０の後付けも容易に行うことができる。
【００５１】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００５２】
１：集合住宅コミュニケーションシステム、２：集合住宅、３：住宅施設、４：共用施設、４Ａ：スポーツジム、４Ｂ：駐車場、４Ｃ：セキュリティポール、４Ｄ：管理室、５：遠隔コントロールセンタ、１０：居室親機（呼出装置の一例）、２０：集合玄関機（呼出装置の一例）、３０（３０Ａ〜３０Ｄ）：ドアベル、４０：サーバ（制御部の一例）、５０：管理室親機、６０：携帯情報端末、７０：遠隔制御装置、Ｌ（Ｌ１，Ｌ２）：インターホン回線（インターホン専用線）、Ｎ：ネットワーク
【図１】
2019146027.tif 000003
【図２】
2019146027.tif 000004
【図３】
2019146027.tif 000005
【図４】
2019146027.tif 000006